(57)【要約】【課題】複数の情報の中から、所望の情報を、簡単かつ迅速に、相手側に送信することができるようにする。【解決手段】電子カメラ１からネットワーク１０３を介して電話機１０６、ファクシミリ１０７、テレビ電話機１０８、またはサーバ１０５に情報を送信する場合、送信先の各情報処理装置から識別情報の送信を受け、その識別情報から相手側の情報処理装置が取扱い可能な情報の種類を判定する。そして、その判定した結果に対応して、取扱い可能な情報だけを各情報処理装置に送信する。本発明は、ネットワークを介して他の装置と接続される電子カメラなどに適用することができる。【選択図】図１０
2007049728.tif 000002
【特許請求の範囲】
【請求項１】
他の情報処理装置に情報を送信する情報処理装置において、
複数の情報を入力する入力手段と、
前記入力手段により入力された情報を記録する記録手段と、
前記複数の情報を前記他の情報処理装置に送信する送信手段と、
前記他の情報処理装置を判定する判定手段と、
送信する情報を、前記判定手段の判定結果に対応して選択する選択手段と
を備えることを特徴とする情報処理装置。
【請求項２】
前記入力手段から入力された情報を、前記記録手段に記録せずに送信する第１のモードと、前記記録手段に記録されている情報を送信する第２のモードとを切り替える切り替え手段を
さらに備えることを特徴とする請求項１に記載の情報処理装置。
【請求項３】
前記複数の情報は、音声情報、線画情報、または画像情報を含む
ことを特徴とする請求項１または２に記載の情報処理装置。
【請求項４】
前記選択手段は、前記他の情報処理装置が、画像情報を受信する機能を有しないとき、音声情報だけを選択する
ことを特徴とする請求項３に記載の情報処理装置。
【請求項５】
前記線画情報と画像情報を重畳する重畳手段をさらに備え、
前記他の情報処理装置が、画像情報を記録する機能を有するが、前記画像情報と線画情報を独立して記録する機能を有しないとき、前記送信手段は、前記重畳手段により重畳された前記線画情報と画像情報を送信する
ことを特徴とする請求項３または４に記載の情報処理装置。
【請求項６】
前記画像をディザ処理する処理手段をさらに備え、
前記他の情報処理装置がファクシミリであるとき、前記送信手段は、ディザ処理した前記画像情報を前記線画情報に重畳して送信する
ことを特徴とする請求項５に記載の情報処理装置。
【請求項７】
他の情報処理装置に情報を送信する情報処理装置の情報処理方法において、
複数の情報を入力する入力ステップと、
前記入力ステップで入力された情報を記録する記録ステップと、
前記複数の情報を前記他の情報処理装置に送信する送信ステップと、
前記他の情報処理装置を判定する判定ステップと、
送信する情報を、前記判定ステップでの判定結果に対応して選択する選択ステップと
を備えることを特徴とする情報処理方法。
【請求項８】
他の情報処理装置に情報を送信する情報処理装置に用いるコンピュータプログラムであって、
複数の情報を入力する入力ステップと、
前記入力ステップで入力された情報を記録する記録ステップと、
前記複数の情報を前記他の情報処理装置に送信する送信ステップと、
前記他の情報処理装置を判定する判定ステップと、
送信する情報を、前記判定ステップでの判定結果に対応して選択する選択ステップと
を備えるコンピュータプログラムが記録されていることを特徴とする記録媒体。
【発明の詳細な説明】
【技術分野】
【０００１】
本発明は、情報処理装置、情報処理方法、および記録媒体に関し、特に、通信回線を介して接続された他の情報処理装置と、情報を通信することが可能な、情報処理装置、情報処理方法、および記録媒体に関する。
【背景技術】
【０００２】
画像圧縮技術の進歩により、例えば、電話回線などの伝送容量が余り大きくない伝送媒体を用いて動画などの画像を送ることが可能になりつつある。
【０００３】
例えば、テレビ電話などでは、ＣＣＤなどにより撮像した画像を、ＭＰＥＧ（Moving Picture Experts Group）などの規格に準じて圧縮処理した後、電話回線を介して通信相手先に送信し、受信側では、伸長処理を施してもとの画像をＬＣＤなどに表示するようになされている。
【発明の開示】
【発明が解決しようとする課題】
【０００４】
ところで、本出願人は、電子カメラとして、被写体を撮影して得た通常の画像情報だけでなく、ペンで入力した線画情報や、マイクロホンを介して取り込んだ音声情報を取り扱うことができるようにしたものを商品化している。このような複数の情報を取り扱うことが可能な情報処理装置と他の情報処理装置との間で、通信回線を介して情報を授受する場合、通信相手としての情報処理装置によっては、複数の情報のうちの所定のものだけしか取り扱うことができない場合がある。
【０００５】
通常、ユーザは、他の情報処理装置が、どの情報を取り扱うことが可能であるかを認識することはできない。従って、このような場合、例えば、電話などで、予め通信相手の情報処理装置の取り扱うことが可能な情報を確認した後、各情報処理装置に合ったモードをユーザが設定する必要がある。従って、そのための操作が煩雑であり、不便である課題があった。
【０００６】
本発明はこのような状況に鑑みてなされたものであり、簡単かつ確実に、複数の情報のうちの所定のものを、他の情報処理装置との間で、簡単かつ確実に、通信することができるようにするものである。
【課題を解決するための手段】
【０００７】
本発明の一側面の情報処理装置は、複数の情報を入力する入力手段と、入力手段により入力された情報を記録する記録手段と、複数の情報を他の情報処理装置に送信する送信手段と、他の情報処理装置を判定する判定手段と、送信する情報を、判定手段の判定結果に対応して選択する選択手段とを備えることを特徴とする。
【０００８】
本発明の一側面の情報処理方法は、複数の情報を入力する入力ステップと、入力ステップで入力された情報を記録する記録ステップと、複数の情報を他の情報処理装置に送信する送信ステップと、他の情報処理装置を判定する判定ステップと、送信する情報を、判定ステップでの判定結果に対応して選択する選択ステップとを備えることを特徴とする。
【０００９】
本発明の一側面の記録媒体は、複数の情報を入力する入力ステップと、入力ステップで入力された情報を記録する記録ステップと、複数の情報を他の情報処理装置に送信する送信ステップと、他の情報処理装置を判定する判定ステップと、送信する情報を、判定ステップでの判定結果に対応して選択する選択ステップとを備えるコンピュータプログラムが記録されていることを特徴とする。
【００１０】
本発明の一側面においては、他の情報処理装置が判定され、その判定結果に対応して、送信する情報が選択される。従って、操作性が改善され、簡単かつ確実に、情報の送信を行うことが可能となる。
【発明の効果】
【００１１】
本発明の一側面によれば、簡単かつ迅速に、複数の情報の中から所望の情報を送信することが可能となる。
【発明を実施するための最良の形態】
【００１２】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００１３】
本発明の一側面の情報処理装置は、複数の情報を入力する入力手段（例えば、図６のタッチタブレット６Ａ、ＣＣＤ２０、マイクロホン８）と、入力手段により入力された情報を記録する記録手段（例えば、図６のメモリカード２４）と、複数の情報を他の情報処理装置に送信する送信手段（例えば、図６のモデム部５７）と、他の情報処理装置を判定する判定手段（例えば、図１３のステップＳ５、ステップＳ１２、図１４のステップＳ２５、ステップＳ３２）と、送信する情報を、判定手段の判定結果に対応して選択する選択手段（例えば、図１３のステップＳ８、ステップＳ２０、ステップＳ２２、図１４のステップＳ３０、ステップＳ４４）とを備えることを特徴とする。
【００１４】
情報処理装置には、入力手段から入力された情報を、記録手段に記録せずに送信する第１のモードと、記録手段に記録されている情報を送信する第２のモードとを切り替える切り替え手段（例えば、図１３のステップＳ５、ステップＳ１２、図１４のステップＳ２５、ステップＳ３２）をさらに設けることができる。
【００１５】
情報処理装置には、線画情報と画像情報を重畳する重畳手段（例えば、図１３のステップＳ２１、図１４のステップＳ２９）をさらに設け、他の情報処理装置が、画像情報を記録する機能を有するが、画像情報と線画情報を独立して記録する機能を有しないとき、送信手段には、重畳手段により重畳された線画情報と画像情報を送信させることができる。
【００１６】
情報処理装置には、画像をディザ処理する処理手段（例えば、図１４のステップＳ２８）をさらに設け、他の情報処理装置がファクシミリであるとき、送信手段には、ディザ処理した画像情報を線画情報に重畳して送信させることができる。
【００１７】
以下、本発明の実施の形態を図面を参照して説明する。
【００１８】
図１および図２は、本発明を適用した電子カメラの一実施の形態の構成を示す斜視図である。本実施の形態の電子カメラにおいては、被写体を撮影する場合において、被写体に向けられる面が面Ｘ１とされ、ユーザ側に向けられる面が面Ｘ２とされている。面Ｘ１の上部には、ファインダ２、撮影レンズ３、発光部４、赤目軽減ランプ１５、測光素子１６、および、測色素子１７が設けられた回動部１９が配置されている。回動部１９は、回動可能とされており、撮影レンズ３が設けられた面を、面Ｘ１方向から面Ｘ２方向に回動させるとともに、任意の位置で固定することが可能とされている。なお、ファインダ２は被写体の撮影範囲の確認に用いられ、撮影レンズ３は被写体の光画像を取り込み、また、発光部（ストロボ）４は被写体を照明する光を発光するようになされている。
【００１９】
さらに、赤目軽減ランプ１５は、ストロボ４を発光させて撮影を行うときに、ストロボ４を発光させる前に発光させて赤目を軽減するようになされている。測光素子１６は、ＣＣＤ２０（図４）の動作を停止させているときに測光を行うようになされている。更に、測色素子１７は、同じく、ＣＣＤ２０の動作を停止させているときに測色を行うようになされている。
【００２０】
一方、回動部１９の裏面（撮影レンズ３が設けられている面の反対側の面）には、上記ファインダ２の接眼部、およびこの電子カメラ１に記録されている音声を出力するスピーカ５が設けられている。また、面Ｘ２に形成されているＬＣＤ６および操作キー７は、ファインダ２、撮影レンズ３、発光部４およびスピーカ５よりも、鉛直下側に形成されている。ＬＣＤ６の表面上には、後述するペン型指示装置（図６のペン４１）の接触操作により、指示された位置に対応する位置データを出力する、いわゆるタッチタブレット６Ａが配置されている。
【００２１】
このタッチタブレット６Ａは、ガラス、樹脂等の透明な材料によって構成されており、ユーザは、タッチタブレット６Ａの内側に形成されているＬＣＤ６に表示される画像を、タッチタブレット６Ａを介して観察することができる。
【００２２】
操作キー７は、ＬＣＤ６に記録データを再生表示する場合などに操作されるキーであり、ユーザによる操作（入力）を検知し、ＣＰＵ３９（図６）に供給するようになされている。
【００２３】
操作キー７のうちのメニューキー７Ａは、ＬＣＤ６上にメニュー画面を表示する場合に操作されるキーである。実行キー７Ｂは、ユーザによって選択された記録情報を再生する場合に操作されるキーである。
【００２４】
クリアキー７Ｃは、記録した情報を削除する場合に操作されるキーである。キャンセルキー７Ｄは、記録情報の再生処理を中断する場合に操作されるキーである。スクロールキー７Ｅは、ＬＣＤ６に記録情報の一覧が表示されている場合において、画面を上下方向にスクロールさせるときに操作されるキーである。
【００２５】
面Ｘ２には、ＬＣＤ６を使用していないときにこれを保護する、摺動自在なＬＣＤカバー１４が設けられている。ＬＣＤカバー１４は、鉛直上方向に移動させた場合、図３に示すように、ＬＣＤ６およびタッチタブレット６Ａを覆うようになされている。また、ＬＣＤカバー１４を鉛直下方向に移動した場合、ＬＣＤ６およびタッチタブレット６Ａが現れるとともに、ＬＣＤカバー１４の腕部１４Ａによって、面Ｙ２に配置された電源スイッチ１１（後述）がオン状態に切り換えられるようになされている。
【００２６】
この電子カメラ１の上面には、音声を集音するマイクロホン８、および図示せぬイヤホンが接続されるイヤホンジャック９が設けられている。
【００２７】
左側面（面Ｙ１）には、被写体を撮像するときに操作されるレリーズスイッチ１０、撮影時の連写モードを切り換えるときに操作される連写モード切り換えスイッチ１３、および、電話回線に接続する場合に使用されるモジュラジャック１８が設けられている。このレリーズスイッチ１０、連写モード切り換えスイッチ１３、および、モジュラジャック１８は、回動部１９に設けられているファインダ２、撮影レンズ３および発光部４よりも鉛直下側に配置されている。
【００２８】
一方、面Ｙ１に対向する面Ｙ２（右側面）には、音声を録音するときに操作される録音スイッチ１２と、電源スイッチ１１が設けられている。この録音スイッチ１２および電源スイッチ１１は、上記レリーズスイッチ１０および連写モード切り換えスイッチ１３と同様に、回動部１９に設けられているファインダ２、撮影レンズ３および発光部４よりも鉛直下側に配置されている。また、録音スイッチ１２は、面Ｙ１のレリーズスイッチ１０とほぼ同じ高さに形成されており、左右どちらの手で持っても、違和感のないように構成されている。
【００２９】
なお、録音スイッチ１２とレリーズスイッチ１０の高さをあえて異ならせることにより、一方のスイッチを押す場合に、この押圧力によるモーメントを打ち消すために反対側の側面を指で保持したとき、誤ってこの反対側の側面に設けられているスイッチが押されてしまわないようにしてもよい。
【００３０】
上記連写モード切り換えスイッチ１３は、ユーザがレリーズスイッチ１０を押して被写体を撮影するとき、被写体を１コマだけ撮影するのか、または、所定の複数コマ撮影するのかを設定する場合に用いられる。例えば、連写モード切り換えスイッチ１３の指針が「Ｓ」と印刷された位置に切り換えられている（すなわち、Ｓモードに切り換えられている）場合において、レリーズスイッチ１０が押されると、１コマだけ撮影が行われるようになされている。
【００３１】
また、連写モード切り換えスイッチ１３の指針が「Ｌ」と印刷された位置に切り換えられている（すなわち、Ｌモードに切り換えられている）場合において、レリーズスイッチ１０が押されると、レリーズスイッチ１０の押されている期間中、１秒間に８コマの撮影が行われるようになされている（すなわち、低速連写モードになる）。
【００３２】
さらに、連写モード切り換えスイッチ１３の指針が「Ｈ」と印刷された位置に切り換えられている（すなわち、Ｈモードに切り換えられている）場合において、レリーズスイッチ１０が押されると、レリーズスイッチ１０の押されている期間中、１秒間に３０コマの撮影が行われるようになされている（すなわち、高速連写モードになる）。
【００３３】
次に、電子カメラ１の内部の構成について説明する。図４は、図１および図２に示す電子カメラの内部の構成例を示す斜視図である。ＣＣＤ２０は、撮影レンズ３の後段（面Ｘ２側）に設けられており、撮影レンズ３を介して結像する被写体の光画像を電気信号に光電変換するようになされている。
【００３４】
ファインダ内表示素子２６は、ファインダ２の視野内に配置され、ファインダ２を介して被写体を視ているユーザに対して、各種機能の設定状態などを表示するようになされている。なお、ファインダ２、撮影レンズ３、発光部４、スピーカ５、ＣＣＤ２０、および、ファインダ内発光素子２６は、円筒形状の回動部１９内に配置されている。
【００３５】
ＬＣＤ６の鉛直下側には、円柱形状の４本のバッテリ（単３の乾電池）２１が縦に並べられており、このバッテリ２１に蓄積されている電力が各部に供給される。さらに、ＬＣＤ６の鉛直下側には、バッテリ２１とともに、発光部４に光を発光させるための電荷を蓄積しているコンデンサ２２が配置されている。
【００３６】
回路基板２３には、この電子カメラ１の各部を制御する、種々の制御回路が形成されている。また、回路基板２３と、ＬＣＤ６およびバッテリ２１の間には、挿抜可能なメモリカード２４が設けられており、この電子カメラ１に入力される各種の情報が、メモリカード２４の予め設定されている領域にそれぞれ記録される。
【００３７】
さらに、電源スイッチ１１に隣接して配置されているＬＣＤスイッチ２５は、その突起部が押圧されている間のみオン状態となるスイッチであり、ＬＣＤカバー１４を鉛直下方向に移動させた場合、図５（ａ）に示すように、ＬＣＤカバー１４の腕部１４Ａによって、電源スイッチ１１とともにオン状態に切り換えられるようになされている。
【００３８】
なお、ＬＣＤカバー１４が鉛直上方向に位置する場合、電源スイッチ１１は、ＬＣＤスイッチ２５とは独立に、ユーザによって操作される。例えば、ＬＣＤカバー１４が閉じられ、電子カメラ１が使用されていない場合、図５（ｂ）に示すように、電源スイッチ１１およびＬＣＤスイッチ２５がオフ状態になっている。この状態において、ユーザが電源スイッチ１１を図５（ｃ）に示すように、オン状態に切り換えると、電源スイッチ１１はオン状態となるが、ＬＣＤスイッチ２５は、オフ状態のままである。一方、図５（ｂ）に示すように、電源スイッチ１１およびＬＣＤスイッチ２５がオフ状態になっているとき、ＬＣＤカバー１４が開かれると、図５（ａ）に示すように、電源スイッチ１１およびＬＣＤスイッチ２５がオン状態となる。そして、この後、ＬＣＤカバー１４を閉じると、ＬＣＤスイッチ２５だけが、図５（ｃ）に示すように、オフ状態となる。
【００３９】
また、回動部１９は、図５に示すように、面Ｘ１の法線方向と面Ｘ２の法線方向の間の任意の角度に設定可能とされている。
【００４０】
なお、本実施の形態においては、メモリカード２４は挿抜可能とされているが、回路基板２３上にメモリを設け、そのメモリに各種情報を記録可能とするようにしてもよい。また、メモリ（メモリカード２４）に記録されている各種情報を、図示せぬインタフェースを介して外部のパーソナルコンピュータに出力することができるようにしてもよい。
【００４１】
次に、本実施の形態の電子カメラ１の内部の電気的構成を、図６のブロック図を参照して説明する。複数の画素を備えているＣＣＤ２０は、各画素に結像した光画像を画像信号（電気信号）に光電変換するようになされている。ディジタルシグナルプロセッサ（以下、ＤＳＰという）３３は、ＣＣＤ２０にＣＣＤ水平駆動パルスを供給するとともに、ＣＣＤ駆動回路３４を制御し、ＣＣＤ２０にＣＣＤ垂直駆動パルスを供給させるようになされている。
【００４２】
画像処理部３１は、ＣＰＵ３９に制御され、ＣＣＤ２０が光電変換した画像信号を所定のタイミングでサンプリングし、そのサンプリングした信号を、所定のレベルに増幅するようになされている。アナログ／ディジタル変換回路（以下、Ａ／Ｄ変換回路という）３２は、画像処理部３１でサンプリングした画像信号をディジタル化してＤＳＰ３３に供給するようになされている。
【００４３】
ＤＳＰ３３は、バッファメモリ３６およびメモリカード２４に接続されるデータバスを制御し、Ａ／Ｄ変換回路３２より供給された画像データをバッファメモリ３６に一旦記憶させた後、バッファメモリ３６に記憶した画像データを読み出し、その画像データを、メモリカード２４に記録するようになされている。
【００４４】
また、ＤＳＰ３３は、Ａ／Ｄ変換回路３２より供給された画像データをフレームメモリ３５に記憶させ、ＬＣＤ６に表示させるとともに、メモリカード２４から撮影画像データを読み出し、その撮影画像データを伸張した後、伸張後の画像データをフレームメモリ３５に記憶させ、ＬＣＤ６に表示させるようになされている。
【００４５】
さらに、ＤＳＰ３３は、電子カメラ１の起動時において、ＣＣＤ２０の露光レベルが適正な値になるまで、露光時間（露出値）を調節しながら、ＣＣＤ２０を繰り返し動作させるようになされている。このとき、最初に、ＤＳＰ３３が測光回路５１を動作させ、測光素子１６により検出された受光レベルに対応して、ＣＣＤ２０の露光時間の初期値を算出するようにしてもよい。このようにすることにより、ＣＣＤ２０の露光時間の調節を短時間で行うことができる。
【００４６】
この他、ＤＳＰ３３は、メモリカード２４への記録、伸張後の画像データのバッファメモリ３６への記憶などにおけるデータ入出力のタイミング管理を行うようになされている。
【００４７】
バッファメモリ３６は、メモリカード２４に対するデータの入出力の速度と、ＣＰＵ３９やＤＳＰ３３などにおける処理速度の違いを緩和するために利用される。
【００４８】
マイクロホン８は、音声情報を入力し（音声を集音し）、その音声情報をＡ／ＤおよびＤ／Ａ変換回路４２に供給するようになされている。
【００４９】
Ａ／ＤおよびＤ／Ａ変換回路４２は、マイクロホン８により検出された音声に対応するアナログ信号をディジタル信号に変換した後、そのディジタル信号をＣＰＵ３９に出力するとともに、ＣＰＵ３９より供給された音声データをアナログ化し、アナログ化した音声信号をスピーカ５に出力するようになされている。
【００５０】
測光素子１６は、被写体およびその周囲の光量を測定し、その測定結果を測光回路５１に出力するようになされている。
【００５１】
測光回路５１は、測光素子１６より供給された測光結果であるアナログ信号に対して所定の処理を施した後、ディジタル信号に変換し、そのディジタル信号をＣＰＵ３９に出力するようになされている。
【００５２】
測色素子１７は、被写体およびその周囲の色温度を測定し、その測定結果を測色回路５２に出力するようになされている。
【００５３】
測色回路５２は、測色素子１７より供給された測色結果であるアナログ信号に対して所定の処理を施した後、ディジタル信号に変換し、そのディジタル信号をＣＰＵ３９に出力するようになされている。
【００５４】
タイマ４５は、時計回路を内蔵し、現在の時刻に対応するデータをＣＰＵ３９に出力するようになされている。
【００５５】
絞り駆動回路５３は、絞り５４の開口径を所定の値に設定するようになされている。
【００５６】
絞り５４は、撮影レンズ３とＣＣＤ２０の間に配置され、撮影レンズ３からＣＣＤ２０に入射する光の開口を変更するようになされている。
【００５７】
回動部位置検出回路５５は、回動部１９と連動するポテンショメータ５６からの出力を参照して、その時点において回動部１９が向けられている方向を検出するようになされている。
【００５８】
モデム部５７は、公衆回線を介して接続された他の電子カメラ１、その他の情報処理装置との間で情報を送受信する際に、データのフォーマットの変換を行うようになされている。
【００５９】
ＣＰＵ３９は、ＬＣＤスイッチ２５からの信号に応じて、ＬＣＤカバー１４が開いているときにおいては、測光回路５１および測色回路５２の動作を停止させ、ＬＣＤカバー１４が閉じているときにおいては、測光回路５１および測色回路５２を動作させるとともに、レリーズスイッチ１０が半押し状態になるまで、ＣＣＤ２０の動作（例えば電子シャッタ動作）を停止させるようになされている。
【００６０】
ＣＰＵ３９は、ＣＣＤ２０の動作を停止させているとき、測光回路５１および測色回路５２を制御し、測光素子１６の測光結果を受け取るとともに、測色素子１７の測色結果を受け取るようになされている。
【００６１】
そして、ＣＰＵ３９は、所定のテーブルを参照して、測色回路５２より供給された色温度に対応するホワイトバランス調整値を算出し、そのホワイトバランス調整値を画像処理部３１に供給するようになされている。
【００６２】
即ち、ＬＣＤカバー１４が閉じているときにおいては、ＬＣＤ６が電子ビューファインダとして使用されないので、ＣＣＤ２０の動作を停止させるようにする。ＣＣＤ２０は多くの電力を消費するので、このようにＣＣＤ２０の動作を停止させることにより、バッテリ２１の電力を節約することができる。
【００６３】
また、ＣＰＵ３９は、ＬＣＤカバー１４が閉じているとき、レリーズスイッチ１０が操作されるまで（レリーズスイッチ１０が半押し状態になるまで）、画像処理部３１が各種処理を行わないように、画像処理部３１を制御するようになされている。
【００６４】
さらに、ＣＰＵ３９は、ＬＣＤカバー１４が閉じているとき、レリーズスイッチ１０が操作されるまで（レリーズスイッチ１０が半押し状態になるまで）、絞り駆動回路５３が絞り５４の開口径を変更する動作などを行わないように、絞り駆動回路５３を制御するようになされている。
【００６５】
ＣＰＵ３９は、ストロボ駆動回路３７を制御して、ストロボ４を適宜発光させるようになされている他、赤目軽減ランプ駆動回路３８を制御して、ストロボ４を発光させる前に、赤目軽減ランプ１５を適宜発光させるようになされている。
【００６６】
なお、ＣＰＵ３９は、ＬＣＤカバー１４が開いているとき（即ち、電子ビューファインダが利用されているとき）においては、ストロボ４を発光させないようにする。このようにすることにより、電子ビューファインダに表示されている画像の状態で、被写体を撮影することができる。
【００６７】
ＣＰＵ３９は、タイマ４５より供給される日時データに従って、撮影した日時の情報を画像データのヘッダ情報として、メモリカード２４の撮影画像記録領域に記録するようになされている（すなわち、メモリカード２４の撮影画像記録領域に記録される撮影画像データには、撮影日時のデータが付随している）。
【００６８】
また、ＣＰＵ３９は、ディジタル化された音声情報を圧縮した後、ディジタル化および圧縮化された音声データを一旦、バッファメモリ３６に記憶させた後、メモリカード２４の所定の領域（音声記録領域）に記録するようになされている。また、このとき、メモリカード２４の音声記録領域には、録音日時のデータが音声データのヘッダ情報として記録されるようになされている。
【００６９】
ＣＰＵ３９は、レンズ駆動回路３０を制御し、撮影レンズ３を移動させることにより、オートフォーカス動作を行う他、絞り駆動回路５３を制御して、撮影レンズ３とＣＣＤ２０の間に配置されている絞り５４の開口径を変更させるようになされている。
【００７０】
さらに、ＣＰＵ３９は、ファインダ内表示回路４０を制御して、各種動作における設定などをファインダ内表示素子２６に表示させるようになされている。
【００７１】
ＣＰＵ３９は、インタフェース（Ｉ／Ｆ）４８を介して、パーソナルコンピュータ、その他の所定の外部装置（図示せず）と所定のデータの授受を行うようになされている。
【００７２】
また、ＣＰＵ３９は、操作キー７からの信号を受け取り、適宜処理するようになされている。
【００７３】
ユーザの操作するペン（ペン型指示部材）４１によってタッチタブレット６Ａの所定の位置が押圧されると、ＣＰＵ３９は、タッチタブレット６Ａの押圧された位置のＸ−Ｙ座標を読み取り、その座標データ（後述する線画情報）を、バッファメモリ３６に蓄積するようになされている。また、ＣＰＵ３９は、バッファメモリ３６に蓄積した線画情報を、線画情報入力日時のヘッダ情報とともに、メモリカード２４の線画情報記録領域に記録するようになされている。
【００７４】
次に、本実施の形態の電子カメラ１の各種動作について説明する。最初に、本装置のＬＣＤ６における電子ビューファインダ動作について説明する。
【００７５】
ユーザがレリーズスイッチ１０を半押し状態にすると、ＤＳＰ３３は、ＣＰＵ３９より供給される、ＬＣＤスイッチ２５の状態に対応する信号の値から、ＬＣＤカバー１４が開いているか否かを判断し、ＬＣＤカバー１４が閉じていると判断した場合、電子ビューファインダ動作を行わない。この場合、ＤＳＰ３３は、レリーズスイッチ１０が操作されるまで処理を停止する。
【００７６】
なお、ＬＣＤカバー１４が閉じている場合、電子ビューファインダ動作を行わないので、ＣＰＵ３９は、ＣＣＤ２０、画像処理部３１、および、絞り駆動回路５３の動作を停止させる。そして、ＣＰＵ３９は、ＣＣＤ２０を停止させる代わりに、測光回路５１および測色回路５２を動作させ、それらの測定結果を、画像処理部３１に供給する。画像処理部３１は、それらの測定結果の値を、ホワイトバランス制御や輝度値の制御を行うときに利用する。
【００７７】
また、レリーズスイッチ１０が操作された場合、ＣＰＵ３９は、ＣＣＤ２０および絞り駆動回路５３の動作を行わせる。
【００７８】
一方、ＬＣＤカバー１４が開いている場合、ＣＣＤ２０は、所定の時間毎に、所定の露光時間で、電子シャッタ動作を行い、撮影レンズ３によって集光された被写体の光画像を光電変換し、その動作で得られた画像信号を画像処理部３１に出力する。
【００７９】
画像処理部３１は、ホワイトバランス制御および輝度値の制御を行い、その画像信号に対して所定の処理を施した後、画像信号をＡ／Ｄ変換回路３２に出力する。なお、ＣＣＤ２０が動作しているときは、画像処理部３１は、ＣＰＵ３９により、ＣＣＤ２０の出力を利用して算出された、ホワイトバランス制御および輝度値の制御に利用される調整値を利用する。
【００８０】
そして、Ａ／Ｄ変換回路３２は、その画像信号（アナログ信号）を、ディジタル信号である画像データに変換し、得られた画像データをＤＳＰ３３に出力する。
【００８１】
ＤＳＰ３３は、その画像データをフレームメモリ３５に出力し、ＬＣＤ６にその画像データに対応する画像を表示させる。
【００８２】
このように、電子カメラ１においては、ＬＣＤカバー１４が開いている場合、所定の時間間隔で、ＣＣＤ２０が電子シャッタ動作し、その度に、ＣＣＤ２０から出力された信号を画像データに変換し、その画像データをフレームメモリ３５に出力して、ＬＣＤ６に被写体の画像を絶えず表示させることで、電子ビューファインダ動作を行う。
【００８３】
また、上述のように、ＬＣＤカバー１４が閉じている場合においては、電子ビューファインダ動作を行わず、ＣＣＤ２０、画像処理部３１、および、絞り駆動回路５３の動作を停止させ、消費電力を節約している。
【００８４】
次に、本装置による被写体の撮影について説明する。
【００８５】
最初に、面Ｙ１に設けられている連写モード切り換えスイッチ１３が、Ｓモード（１コマだけ撮影を行うモード）に切り換えられている場合について説明する。このとき、ユーザは、図１に示す電源スイッチ１１を「ＯＮ」と印刷されている側に切り換えて電子カメラ１に電源を投入する。ファインダ２で被写体を確認し、面Ｙ１に設けられているレリーズスイッチ１０を押すと、被写体の撮影処理が開始される。
【００８６】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００８７】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によってサンプリングされる。画像処理部３１によってサンプリングされた画像信号は、Ａ／Ｄ変換回路３２に供給され、そこでディジタル化されてＤＳＰ３３に出力される。
【００８８】
ＤＳＰ３３は、その画像データをバッファメモリ３６に一旦出力した後、バッファメモリ３６より、その画像データを読み出し、離散的コサイン変換、量子化およびハフマン符号化を組み合わせたＪＰＥＧ（Joint Photographic Experts Group）方式に従って圧縮し、メモリカード２４の撮影画像記録領域に記録させる。このとき、メモリカード２４の撮影画像記録領域には、撮影日時のデータが、撮影画像データのヘッダ情報として記録される。
【００８９】
なお、連写モード切り換えスイッチ１３がＳモードに切り換えられている場合においては、１コマの撮影だけが行われ、レリーズスイッチ１０が継続して押されても、それ以降の撮影は行われない。また、レリーズスイッチ１０が継続して押されると、ＬＣＤカバー１４が開いている場合、ＬＣＤ６に、撮影した画像が表示される。
【００９０】
次に、連写モード切り換えスイッチ１３がＬモード（１秒間に８コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９１】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９２】
ファインダ２で観察される被写体の光画像が撮影レンズ３によって集光され、複数の画素を備えるＣＣＤ２０に結像する。ＣＣＤ２０に結像した被写体の光画像は、各画素で画像信号に光電変換され、画像処理部３１によって１秒間に８回の割合でサンプリングされる。また、このとき、画像処理部３１は、ＣＣＤ２０の全画素の画像電気信号のうち４分の３の画素を間引く。
【００９３】
すなわち、画像処理部３１は、マトリクス状に配列されているＣＣＤ２０の画素を、図７に示すように、２×２画素（４つの画素）を１つとする領域に分割し、その１つの領域から、所定の位置に配置されている１画素の画像信号をサンプリングし、残りの３画素を間引く。
【００９４】
例えば、第１回目のサンプリング時（１コマ目）においては、各領域の左上の画素ａがサンプリングされ、その他の画素ｂ，ｃ，ｄが間引かれる。第２回目のサンプリング時（２コマ目）においては、各領域の右上の画素ｂがサンプリングされ、その他の画素ａ，ｃ，ｄが間引かれる。以下、第３回目、または第４回目のサンプリング時においては、左下の画素ｃ、または右下の画素ｄが、それぞれ、サンプリングされ、その他の画素が間引かれる。つまり、４コマ毎に各画素がサンプリングされる。
【００９５】
画像処理部３１によってサンプリングされた画像信号（ＣＣＤ２０の全画素中の４分の１の画素の画像信号）は、Ａ／Ｄ変換回路３２に供給され、そこでディジタル化されてＤＳＰ３３に出力される。
【００９６】
ＤＳＰ３３は、ディジタル化された画像信号をバッファメモリ３６に一旦出力した後、その画像信号を読み出し、ＪＰＥＧ方式に従って圧縮した後、ディジタル化および圧縮処理された撮影画像データを、メモリカード２４の撮影画像記録領域に記録する。このとき、メモリカード２４の撮影画像記録領域には、撮影日時のデータが、撮影画像データのヘッダ情報として記録される。
【００９７】
さらに、連写モード切り換えスイッチ１３がＨモード（１秒間に３０コマの連写を行うモード）に切り換えられている場合について説明する。電源スイッチ１１を「ＯＮ」と印刷されている側に切り換えて電子カメラ１に電源を投入し、面Ｙ１に設けられているレリーズスイッチ１０を押すと、被写体の撮影処理が開始される。
【００９８】
なお、ＬＣＤカバー１４が閉じられている場合、ＣＰＵ３９は、レリーズスイッチ１０が半押し状態になったとき、ＣＣＤ２０、画像処理部３１、および、絞り駆動回路５３の動作を再開させて、レリーズスイッチ１０が全押し状態になったとき、被写体の撮影処理を開始させる。
【００９９】
ファインダ２で観察される被写体の光画像が撮影レンズ３によって集光され、ＣＣＤ２０に結像する。複数の画素を備えるＣＣＤ２０に結像した被写体の光画像は、各画素で画像信号に光電変換され、画像処理部３１によって１秒間に３０回の割合でサンプリングされる。また、このとき、画像処理部３１は、ＣＣＤ２０の全画素の画像電気信号のうち９分の８の画素を間引く。
【０１００】
すなわち、画像処理部３１は、マトリクス状に配列されているＣＣＤ２０の画素を、図８に示すように、３×３画素を１つとする領域に分割し、その１つの領域から、所定の位置に配置されている１画素の画像電気信号を、１秒間に３０回の割合でサンプリングし、残りの８画素を間引く。
【０１０１】
例えば、第１回目のサンプリング時（１コマ目）においては、各領域の左上の画素ａがサンプリングされ、その他の画素ｂ乃至ｉが間引かれる。第２回目のサンプリング時（２コマ目）においては、画素ａの右側に配置されている画素ｂがサンプリングされ、その他の画素ａ，ｃ乃至ｉが間引かれる。以下、第３回目以降のサンプリング時においては、画素ｃ、画素ｄ・・・が、それぞれ、サンプリングされ、その他の画素が間引かれる。つまり、９コマ毎に各画素がサンプリングされる。
【０１０２】
画像処理部３１によってサンプリングされた画像信号（ＣＣＤ２０の全画素中の９分の１の画素の画像信号）は、Ａ／Ｄ変換回路３２に供給され、そこでディジタル化されてＤＳＰ３３に出力される。
【０１０３】
ＤＳＰ３３は、ディジタル化された画像信号をバッファメモリ３６に一旦出力した後、その画像信号を読み出し、ＪＰＥＧ方式に従って圧縮した後、ディジタル化および圧縮処理された撮影画像データに撮影日時のヘッダ情報を付加して、メモリカード２４の撮影画像記録領域に記録する。
【０１０４】
なお、必要に応じて、ストロボ４を動作させ、被写体に光を照射させることもできる。ただし、ＬＣＤカバー１４が開いているとき、即ち、ＬＣＤ６が電子ビューファインダ動作を行っているとき、ＣＰＵ３９は、ストロボ４を発光させないように制御する。
【０１０５】
次に、タッチタブレット６Ａから２次元の線画情報（ペン入力情報）を入力する場合の動作について説明する。
【０１０６】
タッチタブレット６Ａがペン４１のペン先で押圧されると、接触した箇所のＸ−Ｙ座標が、ＣＰＵ３９に入力される。このＸ−Ｙ座標は、バッファメモリ３６に記憶される。また、フレームメモリ３５における上記Ｘ−Ｙ座標の各点に対応した箇所にデータを書き込み、ＬＣＤ６における上記Ｘ−Ｙ座標に、ペン４１の接触に対応した線画を表示させることができる。
【０１０７】
上述したように、タッチタブレット６Ａは、透明部材によって構成されているので、ユーザは、ＬＣＤ６上に表示される点（ペン４１のペン先で押圧された位置の点）を観察することができ、あたかもＬＣＤ６上に直接ペン入力をしたかのように感じることができる。また、ペン４１をタッチタブレット６Ａ上で移動させると、ＬＣＤ６上には、ペン４１の移動に伴う線が表示される。さらに、ペン４１をタッチタブレット６Ａ上で断続的に移動させると、ＬＣＤ６上には、ペン４１の移動に伴う破線が表示される。以上のようにして、ユーザは、タッチタブレット６Ａ（ＬＣＤ６）に所望の文字、図形等の線画情報を入力する。
【０１０８】
また、ＬＣＤ６上に撮影画像が表示されている場合において、ペン４１によって線画情報が入力されると、この線画情報が、撮影画像情報とともに、フレームメモリ３５で合成され、ＬＣＤ６上に同時に表示される。
【０１０９】
なお、ユーザは、図示せぬ色選択スイッチを操作することによって、ＬＣＤ６上に表示される線画の色を、黒、白、赤、青等の色から選択することができる。
【０１１０】
ペン４１によるタッチタブレット６Ａへの線画情報の入力後、操作キー７の実行キー７Ｂが押されると、バッファメモリ３６に蓄積されている線画情報が、入力日時のヘッダ情報とともにメモリカード２４に供給され、メモリカード２４の線画情報記録領域に記録される。
【０１１１】
なお、メモリカード２４に記録される線画情報は、圧縮処理の施された情報である。タッチタブレット６Ａに入力された線画情報は空間周波数成分の高い情報を多く含んでいるため、上記撮影画像の圧縮に用いられるＪＰＥＧ方式によって圧縮処理を行うと、圧縮効率が悪いことから圧縮および伸張に必要とされる時間が長くなってしまう。さらに、ＪＰＥＧ方式による圧縮は、非可逆圧縮であるので、情報量の少ない線画情報の圧縮には適していない（伸張してＬＣＤ６上に表示した場合、情報の欠落に伴うギャザ、にじみが際だってしまうため）。
【０１１２】
そこで、本実施の形態においては、ファックス等において用いられるランレングス法によって、線画情報を圧縮するようにしている。ランレングス法とは、線画画面を水平方向に走査し、黒、白、赤、青等の各色の情報（点）の継続する長さ、および無情報（ペン入力のない部分）の継続する長さを符号化することにより、線画情報を圧縮する方法である。
【０１１３】
このランレングス法を用いることにより、線画情報を最適に圧縮することができ、また、圧縮された線画情報を伸張した場合においても、情報の欠落を抑制することが可能になる。なお、線画情報は、その情報量が比較的少ない場合には、圧縮しないようにすることもできる。
【０１１４】
また、上述したように、ＬＣＤ６上に撮影画像が表示されている場合において、ペン入力を行うと、撮影画像データとペン入力の線画情報がフレームメモリ３５で合成され、撮影画像と線画の合成画像がＬＣＤ６上に表示される。その一方で、メモリカード２４においては、撮影画像データは、撮影画像記録領域に記録され、線画情報は、線画情報記録領域に記録される。このように、２つの情報が、各々異なる領域に記録されるので、ユーザは、撮影画像と線画の合成画像から、いずれか一方の画像（例えば線画）を削除することができ、さらに、各々の画像情報を個別の圧縮方法で圧縮することもできる。
【０１１５】
メモリカード２４の音声記録領域、撮影画像記録領域、または線画情報記録領域にデータを記録した場合、図９に示すように、ＬＣＤ６に所定の表示が行われる。
【０１１６】
図９に示すＬＣＤ６の表示画面上においては、情報を記録した時点の年月日（記録年月日）（この場合、１９９５年８月２５日）が画面の下端部に表示され、その記録年月日に記録された情報の記録時刻が画面の最も左側に表示されている。
【０１１７】
記録時刻の右側には、サムネイル画像が表示されている。このサムネイル画像は、メモリカード２４に記録された撮影画像データの各画像データのビットマップデータを間引いて（縮小して）作成されたものである。この表示のある情報は、撮影画像情報を含む情報である。つまり、「１０時１６分」と「１０時２１分」に記録（入力）された情報には、撮影画像情報が含まれており、「１０時０５分」、「１０時２８分」、「１０時５４分」、「１３時１０分」に記録された情報には、画像情報が含まれていない。
【０１１８】
また、メモ記号「＊」は、線画情報として所定のメモが記録されていることを表している。
【０１１９】
サムネイル画像の表示領域の右側には、音声情報バーが表示され、録音時間の長さに対応する長さのバー（線）が表示される（音声情報が入力されていない場合は、表示されない）。
【０１２０】
ユーザは、図９に示すＬＣＤ６の所望の情報の表示ラインのいずれかの部分を、ペン４１のペン先で押圧して再生する情報を選択指定し、図２に示す実行キー７Ｂをペン４１のペン先で押圧することにより、選択した情報を再生する。
【０１２１】
例えば、図９に示す「１０時０５分」の表示されているラインがペン４１によって押圧されると、ＣＰＵ３９は、選択された録音日時（１０時０５分）に対応する音声データをメモリカード２４から読み出し、その音声データを伸張した後、Ａ／ＤおよびＤ／Ａ変換回路４２に供給する。Ａ／ＤおよびＤ／Ａ変換回路４２は、供給された音声データをアナログ化した後、スピーカ５を介して再生する。
【０１２２】
メモリカード２４に記録した撮影画像データを再生する場合、ユーザは、所望のサムネイル画像を、ペン４１のペン先で押圧することによりその情報を選択し、実行キー７Ｂを押して選択した情報を再生させる。
【０１２３】
ＣＰＵ３９は、選択された撮影日時に対応する撮影画像データをメモリカード２４から読み出すように、ＤＳＰ３３に指示する。ＤＳＰ３３は、メモリカード２４より読み出された撮影画像データ（圧縮されている撮影画像データ）を伸張し、この撮影画像データをビットマップデータとしてフレームメモリ３５に蓄積させ、ＬＣＤ６に表示させる。
【０１２４】
Ｓモードで撮影された画像は、ＬＣＤ６上に、静止画像として表示される。この静止画像は、ＣＣＤ２０の全ての画素の画像信号を再生したものであることはいうまでもない。
【０１２５】
Ｌモードで撮影された画像は、ＬＣＤ６上において、１秒間に８コマの割合で連続して表示される。このとき、各コマに表示される画素数は、ＣＣＤ２０の全画素数の４分の１である。
【０１２６】
通常、人間の目は、静止画像の解像度の劣化に対しては敏感に反応するため、静止画像の画素を間引くことは、ユーザに画質の劣化として捉えられてしまう。しかしながら、撮影時の連写速度が上がり、Ｌモードにおいて１秒間に８コマ撮影され、この画像が１秒間に８コマの速さで再生された場合においては、各コマの画素数がＣＣＤ２０の画素数の４分の１になるが、人間の目は１秒間に８コマの画像を観察するので、１秒間に人間の目に入る情報量は、静止画像の場合に比べて２倍になる。
【０１２７】
すなわち、Ｓモードで撮影された画像の１コマの画素数を１とすると、Ｌモードで撮影された画像の１コマの画素数は１／４となる。Ｓモードで撮影された画像（静止画像）がＬＣＤ６に表示された場合、１秒間に人間の目に入る情報量は１（＝（画素数１）×（コマ数１））となる。一方、Ｌモードで撮影された画像がＬＣＤ６に表示された場合、１秒間に人間の目に入る情報量は２（＝（画素数１／４）×（コマ数８））となる（すなわち、人間の目には、静止画像の２倍の情報が入る）。従って、１コマ中の画素の数を４分の１にしても、再生時において、ユーザは、画質の劣化をさほど気にすることなく再生画像を観察することができる。
【０１２８】
さらに、本実施の形態においては、各コマ毎に異なる画素をサンプリングし、そのサンプリングした画素をＬＣＤ６に表示するようにしているので、人間の目に残像効果が起こり、１コマ当たり４分の３画素を間引いたとしても、ユーザは、画質の劣化をさほど気にすることなくＬＣＤ６に表示されるＬモードで撮影された画像を観察することができる。
【０１２９】
また、Ｈモードで撮影された画像は、ＬＣＤ６上において、１秒間に３０コマの割合で連続して表示される。このとき、各コマに表示される画素数は、ＣＣＤ２０の全画素数の９分の１であるが、Ｌモードの場合と同様の理由で、ユーザは、画質の劣化をさほど気にすることなくＬＣＤ６に表示されるＨモードで撮影された画像を観察することができる。
【０１３０】
本実施の形態においては、ＬモードおよびＨモードで被写体を撮像する場合、画像処理部３１が、再生時における画質の劣化が気にならない程度にＣＣＤ２０の画素を間引くようにしているので、ＤＳＰ３３の負荷を低減することができ、ＤＳＰ３３を、低速度、低電力で作動させることができる。また、このことにより、装置の低コスト化および低消費電力化が可能になる。
【０１３１】
図１０は、電子カメラ１をネットワークを介して他の情報処理装置と接続した場合の構成例を表している。この構成例においては、電子カメラ１がネットワーク１０３に接続されている。ネットワーク１０３には、サーバ１０５、電話機１０６、ファクシミリ１０７、およびテレビ電話機１０８が接続されている。
【０１３２】
サーバ１０５は、例えば図１１に示すように、記録部１１２にネットワーク１０３を介して各種の情報処理装置に提供する情報を記録している。通信部１１１は、ネットワーク１０３を介して他の情報処理装置と通信を行う。制御部１１３は、バス１１４を介して通信部１１１および記録部１１２と接続されており、各部を制御するようになされている。
【０１３３】
図１２は、電子カメラ１が、ネットワーク（通信回線）１０３を介して伝送する情報のフォーマットの一例を示している。この図に示すように、ネットワーク１０３を介して伝送される情報は、その直後に伝送される情報の種類を示す情報や、自分自身が電子カメラ、テレビ電話機、ファクシミリ、サーバなどの情報処理装置のいずれであるかを識別するための識別情報が格納されているヘッダ７０、通信相手の情報処理装置を制御するための制御情報７１、画像情報７２、線画などにより構成されるメモ画像情報７３、および、音声情報７４により構成されている。なお、伝送される情報の種類によっては、制御情報７１、画像情報７２、メモ画像情報７３、または、音声情報７４は、含まれていない場合もある。
【０１３４】
次に、図１３乃至図１６のフローチャートを参照して、電子カメラ１が、ネットワーク１０３を介してサーバ１０５、電話機１０６、ファクシミリ１０７、またはテレビ電話機１０８と接続して情報の授受を行う場合の処理について説明する。
【０１３５】
最初にステップＳ１において、ＣＰＵ３９は、現在、受信モードが設定されているか否かを判定し、受信モードが設定されていない場合には、ステップＳ２に進み、送信モードが設定されているか否かを判定する。送信モードが設定されていない場合には、ステップＳ１に戻り、以下、ステップＳ１とステップＳ２の処理を繰り返し実行する。
【０１３６】
ステップＳ２において、送信モードが設定されていると判定された場合、ステップＳ３に進み、ユーザは、情報を授受する相手の情報処理装置を呼び出す操作を行う。いまの場合、ユーザは、ペン４１を操作して、タッチタブレット６Ａから接続する相手の情報処理装置の電話番号を入力する。すなわち、サーバ１０５、電話機１０６、ファクシミリ１０７、またはテレビ電話機１０８の電話番号を入力する。ＣＰＵ３９は、モデム部５７を制御し、入力された電話番号に対する発呼動作を実行させる。
【０１３７】
次に、ステップＳ４において、相手先に接続されるまで待機し、相手先に接続された場合にはステップＳ５に進み、相手の情報処理装置から識別情報を受信したか否かを判定する。すなわち、図１０における通常の電話機１０６以外のサーバ１０５、ファクシミリ１０７、またはテレビ電話機１０８は、他の情報処理装置と接続されたとき、その情報処理装置に対して、自分自身を識別させるための識別情報を送信するようになされている。ステップＳ５においては、この識別情報が受信されたか否かが判定される。
【０１３８】
ステップＳ５において、相手側から識別情報が受信されていないと判定された場合、ステップＳ４で接続された情報処理装置は、通常の電話機１０６と判定することができる。そこで、この場合においては、ステップＳ６に進み、ＣＰＵ３９は、電話マーク表示処理を実行する。すなわち、このときＣＰＵ３９は、例えば、図１７に示すような電話機のマークの画像とともに、例えば、「接続相手先はテレビ電話機能がありません。音声のみの通話となります」のようなメッセージを表示させる。これにより、ユーザは、接続された相手先の情報処理装置に対して、画像情報あるいは線画情報を送信することができないことを知ることができる。次に、ステップＳ７に進み、ＣＰＵ３９は、ＬＣＤ６を消灯させる。さらに、ステップＳ８においては、音声信号送受信処理が実行される。すなわち、ユーザは、マイクロホン８とスピーカ５を利用して、相手側の電話機１０６と会話を行うことができる。
【０１３９】
ステップＳ９においては、会話が終了したか否かが判定され、終了していなければ、ステップＳ８に戻り、それ以降の処理が繰り返し実行される。ステップＳ９において会話が終了したと判定された場合、ステップＳ１０に進み、回線終了手続が実行される。
【０１４０】
一方、ステップＳ５において、相手側の情報処理装置から識別情報を受信したと判定された場合、ステップＳ１１に進み、ＣＰＵ３９は、例えば不図示のＲＯＭに予め記憶されている識別情報を読み出し、これをモデム部５７を介して相手側に送信させる。これにより、相手側の情報処理装置においても、この電子カメラ１における場合と同様の処理を実行することが可能となる。例えば、ネットワーク１０３に、この電子カメラ１と同様の機能を有する電子カメラが接続されている場合には、その電子カメラにおいても同様の処理を実行することができる。
【０１４１】
次に、ステップＳ１２に進み、相手側より受信した識別情報が、相手側の情報処理装置がテレビ電話機であることを示しているか否かを判定する。相手側の情報処理装置がテレビ電話機１０８である場合には、ステップＳ１３に進み、ＣＰＵ３９は、相手の装置はペン入力、すなわち線画情報を入力することができる装置であるか否かを判定する。線画情報を入力することができる装置であるか否かも、受信した識別情報から判定することができる。相手側のテレビ電話機１０８が線画情報を入力する機能を有していない場合には、ステップＳ１４に進み、ＣＰＵ３９は、ＣＣＤ２０から入力した画像情報とタッチタブレット６Ａから入力した線画情報とを重畳する重畳モードを設定する。相手側のテレビ電話機１０８が、線画情報を入力する機能を有していると判定された場合、ステップＳ１４の処理はスキップされる。すなわち、重畳モードは設定されない。
【０１４２】
次に、ステップＳ１５に進み、相手のテレビ電話機１０８から、画像情報、音声情報、または線画情報のいずれかを受信する。そして、ステップＳ１６において、画像情報を受信したか否かを判定し、受信している場合には、ステップＳ１７に進み、受信した画像情報を表示する処理を実行する。すなわち、この場合、テレビ電話機１０８から送信されてきた画像情報が、フレームメモリ３５を介してＬＣＤ６に表示される。これにより、ＬＣＤ６には、例えば図１８に示すような、テレビ電話機１０８を使用しているユーザの画像が表示される。
【０１４３】
これに対して、ステップＳ１６において、画像情報を受信していないと判定された場合、ステップＳ１８に進み、ＣＰＵ３９は、ＬＣＤ６に、例えば図１９に示すように、相手画像がないことをユーザに認識させるための表示を行わせる。図１９の表示例では、画像を表す四角形の図形に×印が付加されたシンボル図形と、「接続相手先から画像が送られておりません」のメッセージが表示されている。これにより、ユーザが、ＬＣＤ６に画像が表示されないので、装置が故障していると誤認するようなおそれがなくなる。
【０１４４】
次に、ステップＳ１９に進み、重畳モードが設定されているか否かが判定される。上述したように、相手のテレビ電話機１０８が、線画像入力機能を有しない場合には、ステップＳ１４において重畳モードが設定されている。この場合には、ステップＳ２１に進み、ＣＰＵ３９は、ＣＣＤ２０から入力されたユーザの画像に、タッチタブレット６Ａから、ペン４１で入力された線画情報をＤＳＰ３３により重畳させる。そして、ステップＳ２２において、ステップＳ２１で重畳された画像情報と、マイクロホン８より入力された音声情報を、相手側のテレビ電話機１０８に送信する処理が実行される。これに対して、ステップＳ１９において、重畳モードが設定されていないと判定された場合、ステップＳ２０に進み、ＣＰＵ３９は、画像情報、線画情報、および音声情報を、それぞれ個別に送信する処理を実行する。すなわち、テレビ電話機１０８が、線画情報入力機能を有している場合には、そのテレビ電話機１０８は、実質的に電子カメラ１と同様の機能を有していることになる。そこで、この場合には、これら３つの情報を個別に送信するようにする。
【０１４５】
次にステップＳ２３に進み、会話が終了したか否かが判定され、終了していない場合には、ステップＳ１５に戻り、それ以降の処理が繰り返し実行される。ステップＳ２３において会話が終了したと判定された場合、ステップＳ２４に進み、回線終了手続が実行される。
【０１４６】
ステップＳ１２において、相手側の情報処理装置がテレビ電話機１０８であると判定された場合には、以上のような処理が実行されるが、ステップＳ１２において、相手側の情報処理装置はテレビ電話機ではないと判定された場合には、ステップＳ２５に進み、相手側の情報処理装置はファクシミリであるか否かが判定される。この判定も、識別情報に基づいて行われる。相手側の情報処理装置がファクシミリ１０７であると判定された場合には、ステップＳ２６に進み、ＣＰＵ３９は、メモリカード２４に予め取り込まれ、記憶されている情報を、ＤＳＰ３３を制御して読み出させ、これをＬＣＤ６に表示させる。そして、ステップＳ２７において、いまＬＣＤ６に表示されている画像が線画であるか否かが判定され、線画でない場合には（通常の画像である場合には）、ステップＳ２８に進み、画素点の数で濃度を表す画像とするために、ＤＳＰ３３にディザ処理を実行させる。ＬＣＤ６に表示されているのが（送信する情報が）線画情報であるとステップＳ２７において判定された場合には、ステップＳ２８の処理はスキップされる。
【０１４７】
次に、ステップＳ２９において、ＣＰＵ３９は、ＤＳＰ３３を制御し、線画が存在する場合には、これを画像に重畳させる。そして、ステップＳ３０において、ＣＰＵ３９は、画像情報（線画情報が存在する場合には、それが重畳されている）をモデム部５７を介してファクシミリ１０７に送信させる。そして、ステップＳ３１において、回線終了手続が実行される。
【０１４８】
このように、ファクシミリ１０７に転送する情報は、メモリカード２４に予め記憶された情報とされる。
【０１４９】
ステップＳ２５において、相手先の情報処理装置がファクシミリではないと判定された場合、ステップＳ３２に進み、相手側の情報処理装置はネットワークサーバであるか否かが判定される。相手側の情報処理装置がネットワークサーバでもないと判定された場合、ステップＳ３３に進み、ＣＰＵ２９は、ＬＣＤ６に、例えば図２０に示すように、「通信エラー」の文字を表示させる。すなわち、この処理例の場合、相手側の情報処理装置としては、電話機１０６、ファクシミリ１０７、テレビ電話機１０８、またはサーバ１０５のいずれかとされているので、これらのうちのいずれでもない場合にはエラー処理とされる。そして、ステップＳ３４において、通信終了処理が実行される。
【０１５０】
ステップＳ３２において、相手側の情報処理装置がサーバ１０５であると判定された場合には、ステップＳ３５に進み、ＣＰＵ３９は、ＬＣＤ６に、例えば図２１に示すようなメニューを表示させる。このメニューには、同図に示すように、「送信」、「受信」、「モード設定」、または「終了」のいずれかの項目を選択できるように、その文字が表示される。そこで、ステップＳ３６乃至ステップＳ３９において、これらの「送信」、「受信」、「モード設定」、または「終了」のいずれかの項目が選択されるまで待機する。ステップＳ３９において、「終了」がペン４１で選択されたと判定された場合には、ステップＳ４０に進み、通信終了処理が実行される。
【０１５１】
これに対して、ステップＳ３６において、「送信」の文字がペン４１で選択されたと判定された場合、ステップＳ４１に進み、ＣＰＵ３９は、ＤＳＰ３３を制御し、メモリカード２４に記憶されている画像を読み出し、サムネイル画像を生成させ、ＬＣＤ６に表示させる。このときユーザは、ステップＳ４２において、表示されているサムネイルの中から送信すべきものを、ペン４１で指定することで選択する。この選択が行われたとき、ＣＰＵ３９は、ステップＳ４３において、メモリカード２４に記憶されている指定されたサムネイルに対応する元の画像データを読み出し、ステップＳ４４において、これをサーバ１０５に送信させる。
【０１５２】
サーバ１０５は、このようにして、電子カメラ１から送信されてきた画像データを記録部１１２に記録させる。ユーザは、その後、例えば、電子カメラ１による撮影を終了し、帰宅したとき、パーソナルコンピュータなどからサーバ１０５にアクセスし、サーバ１０５に記録されている画像データの転送を受けることができる。
【０１５３】
一方、ステップＳ３７において、「受信」の文字が選択されたと判定された場合、ステップＳ４５に進み、ＣＰＵ３９は、サーバ１０５のメニューをサーバ１０５から受信し、これをＬＣＤ６に表示させる。このときユーザは、ステップＳ４６において、表示されたメニューの中から、サーバ１０５より提供を受ける情報を選択する操作を行う。この選択が行われると、サーバ１０５は、選択された情報を送信してくるので、ステップＳ４７において、ＣＰＵ３９は、これを受信する。この受信情報は、ＬＣＤ６に表示されるとともに、必要に応じてメモリカード２４に記憶される。
【０１５４】
ステップＳ３８において「モード設定」の文字が選択されたと判定された場合、ステップＳ４８に進み、ＣＰＵ３９は、モード設定メニューを表示させる。ユーザは、このとき、ステップＳ４９において、表示されたメニューの中から設定する項目を選択する。この選択が行われると、ステップＳ５０において、ＣＰＵ３９は、設定されたモードを設定する処理を実行する。このようにして、例えば、電子メールの転送処理のオンまたはオフの設定が行われる。
【０１５５】
一方、ステップＳ１において、受信モードが設定されていると判定された場合には、ステップＳ５１に進み、ＣＰＵ３９は、電子カメラ１の識別情報を不図示のＲＯＭから読み出し、これを送信する。次に、ステップＳ５２において、ＣＰＵ３９は、相手の情報処理装置から、識別情報を受信したか否かを判定し、受信していない場合には、接続されている情報処理装置は、通常の電話機１０６であるから、ステップＳ５３に進み、電話マーク表示処理を実行する。すなわち、上述したように、図１７に示すような画像をＬＣＤ６に表示させる。以下、図１３におけるステップＳ７乃至ステップＳ１０における場合と同様の処理が、ステップＳ５４乃至ステップＳ５７において実行される。すなわち、ＬＣＤ６が消灯され、音声信号が、会話が終了したと判定されるまで送受信され、会話が終了したとき、回線終了手続が実行される。
【０１５６】
ステップＳ５２において、相手の情報処理装置から識別情報を受信したと判定された場合には、ステップＳ５８に進み、相手の情報処理装置は、テレビ電話機１０８であるか否かが判定される。相手の情報処理装置がテレビ電話機１０８である場合には、ステップＳ５９乃至ステップＳ７０の処理が実行される。この処理は、図１３におけるステップＳ１３乃至ステップＳ２４の処理と同様の処理であるので、その説明は省略するが、テレビ電話機１０８との間で、画像情報と音声情報の授受が行われる。そして、テレビ電話機１０８が、線画情報を記録する機能を有する場合には、画像情報、線画情報、および音声情報が個別に送受信されるが、その機能を有していない場合には、線画情報は、画像情報に重畳して送信される。
【０１５７】
ステップＳ５８において、相手側の情報処理装置がテレビ電話機１０８ではないと判定された場合、ステップＳ７０に進み、相手側の情報処理装置がファクシミリ１０７であるか否かが判定される。相手側の情報処理装置がファクシミリである場合には、ステップＳ７１に進み、相手側のファクシミリ１０７の電話番号、並びにファクシミリ１０７から画像情報を受信中である旨の、例えば「ファクシミリを受信中です」のようなメッセージがＬＣＤ６に表示される。ユーザは、これにより、相手のファクシミリ１０７を特定することができ、かつ、そのファクシミリから情報を受信中であることを認識することができる。そして、ステップＳ７２において、ＣＰＵ３９は、ファクシミリ１０７から送信されてくる情報を受信し、ＬＣＤ６に表示させるとともに、必要に応じて、これをメモリカード２４に記憶させる。そして、受信が終了したとき、ステップＳ７３において、回線終了手続が実行される。
【０１５８】
ステップＳ７０において、相手側の情報処理装置がファクシミリではないと判定された場合には、ステップＳ７４に進み、相手側の情報処理装置がネットワークサーバであるか否かが判定される。相手側の情報処理装置がネットワークサーバでもないと判定された場合には、ステップＳ７５においてエラー表示処理が実行され、ステップＳ７６で通信終了処理が実行される。この処理は、図１４におけるステップＳ３３とステップＳ３４の処理と同様の処理である。
【０１５９】
ステップＳ７４において、相手側の情報処理装置がネットワークサーバであると判定された場合には、ステップＳ７７に進み、ネットワークサーバ１０５より画像情報、線画情報、または音声情報のいずれかを受信する。そして、受信が完了したとき、ステップＳ７８において、回線終了手続が実行される。
【０１６０】
以上においては、電子カメラ１をネットワーク１０３に直接接続するようにしたが、例えば、図２２に示すように、電子カメラ１にＰＨＳ１０１を接続し、ＰＨＳ１０１と最寄りの基地局１０２を介してネットワーク１０３に接続するようにしてもよい。この場合、上述した場合と同様に、ネットワーク１０３を介してサーバ１０５、電話機１０６、ファクシミリ１０７、またはテレビ電話機１０８に接続することが可能であるが、他の基地局１０４を介して、他のＰＨＳ１１０と、それに接続された電子カメラ１１１に接続することも可能である。
【０１６１】
なお、ＰＨＳ１０１は、電子カメラ１に一体的に構成するようにしてもよい。
【０１６２】
さらに、図２３に示すように、電子カメラ１をパーソナルコンピュータ１０９を介してネットワーク１０３に接続することもできる。
【０１６３】
以上の実施の形態においては、ＣＣＤ２０より入力された画像をＪＰＥＧ規格に基づいて圧縮し、ネットワーク（通信回線）を介して伝送するようにしたが、例えば、ＭＰＥＧ規格に基づいて圧縮して伝送し、受信側において対応する伸長処理を施すようにしてもよいことは勿論である。
【０１６４】
なお、本発明は、電子カメラに限定されるものではなく、例えば、携帯電話等にも適用可能であることは言うまでもない。
【０１６５】
また、上記したような処理を行うコンピュータプログラムをユーザに提供するには、磁気ディスク、CD-ROM、固体メモリなどの記録媒体に記録して提供したり、ネットワーク、衛星などの通信媒体を介して伝送したものを、記録媒体に記録させることで提供することができる。
【０１６６】
以上の如く、他の情報処理装置を判定し、その判定結果に対応して、送信する情報を選択するようにしたので、簡単かつ迅速に、複数の情報の中から所望の情報を送信することが可能となる。
【図面の簡単な説明】
【０１６７】
【図１】本発明を適用した電子カメラの一実施の形態の正面から見た場合の構成を示す斜視図である。
【図２】図１に示す電子カメラ１の背面から見た場合の構成を示す斜視図である。
【図３】ＬＣＤカバー１４を閉じた状態の電子カメラ１を示す斜視図である。
【図４】図１および図２に示す電子カメラ１の内部の構成を示す斜視図である。
【図５】ＬＣＤカバー１４の位置と、電源スイッチ１１およびＬＣＤスイッチ２５の状態との関係を説明する図である。
【図６】図１および図２に示す電子カメラ１の内部の電気的構成を示すブロック図である。
【図７】Ｌモード時における画素の間引き処理を説明する図である。
【図８】Ｈモード時における画素の間引き処理を説明する図である。
【図９】図１および図２に示す電子カメラ１の表示画面の例を示す図である。
【図１０】図１に示す電子カメラ１をネットワークを介して接続した場合の接続関係を示す図である。
【図１１】図１０のサーバ１０５の構成例を示すブロック図である。
【図１２】図１０の電子カメラ１の送出する信号のフォーマットを説明する図である。
【図１３】図１０の電子カメラ１の処理を説明するフローチャートである。
【図１４】図１０の電子カメラ１の処理を説明するフローチャートである。
【図１５】図１０の電子カメラ１の処理を説明するフローチャートである。
【図１６】図１０の電子カメラ１の処理を説明するフローチャートである。
【図１７】図１３のステップＳ６における表示例を示す図である。
【図１８】図１３のステップＳ１７における表示例を示す図である。
【図１９】図１３のステップＳ１８における表示例を示す図である。
【図２０】図１４のステップＳ３３における表示例を示す図である。
【図２１】図１４のステップＳ３５におけるメニューの表示例を示す図である。
【図２２】図１に示す電子カメラ１をネットワークを介して接続した場合の他の接続関係を示す図である。
【図２３】図１に示す電子カメラ１をネットワークを介して接続した場合のさらに他の接続関係を示す図である。
【符号の説明】
【０１６８】
１  電子カメラ
２  ファインダ
３  撮影レンズ
４  発光部
５  スピーカ
６  ＬＣＤ
６Ａ  タッチタブレット
７  操作キー
７Ａ  メニューキー
７Ｂ  実行キー
７Ｃ  クリアキー
７Ｄ  キャンセルキー
７Ｅ  スクロールキー
８  マイクロホン
９  イヤホンジャック
１０  レリーズスイッチ
１１  電源スイッチ
１２  録音スイッチ
１３  連写モード切り換えスイッチ
１５  赤目軽減ランプ
１６  測光素子
１７  測色素子
２０  ＣＣＤ
２１  バッテリ
２２  コンデンサ
２３  回路基板
２４  メモリカード
２５  ＬＣＤスイッチ
２６  ファインダ内表示素子
３０  レンズ駆動回路
３１  画像処理部
３２  アナログ／ディジタル変換回路
３３  ディジタルシグナルプロセッサ（ＤＳＰ）
３４  ＣＣＤ駆動回路
３５  フレームメモリ
３６  バッファメモリ
３７  ストロボ駆動回路
３８  赤目軽減ランプ駆動回路
３９  ＣＰＵ
４０  ファインダ内表示回路
４２  Ａ／ＤおよびＤ／Ａ変換回路
４５  タイマ
４８  インタフェース
５１  測光回路
５２  測色回路
５３  絞り駆動回路
５４  絞り
５７  モデム部
【図１】
2007049728.tif 000003
【図２】
2007049728.tif 000004
【図３】
2007049728.tif 000005
【図４】
2007049728.tif 000006
【図５】
2007049728.tif 000007
【図６】
2007049728.tif 000008
【図７】
2007049728.tif 000009
【図８】
2007049728.tif 000010
【図９】
2007049728.tif 000011
【図１０】
2007049728.tif 000012
【図１１】
2007049728.tif 000013
【図１２】
2007049728.tif 000014
【図１３】
2007049728.tif 000015
【図１４】
2007049728.tif 000016
【図１５】
2007049728.tif 000017
【図１６】
2007049728.tif 000018
【図１７】
2007049728.tif 000019
【図１８】
2007049728.tif 000020
【図１９】
2007049728.tif 000021
【図２０】
2007049728.tif 000022
【図２１】
2007049728.tif 000023
【図２２】
2007049728.tif 000024
【図２３】
2007049728.tif 000025